(57)【要約】【課題】食品包装用袋をその中に食品を収めた状態で、テーブル上に立てることができるようにすることを目的とする。【解決手段】熱可塑性合成樹脂フイルム１と紙２とを重合接着した矩形フイルムをその中間部でひだ折りし、熱可塑性合成樹脂フイルム１が内側になるよう二つ重ねにし、その両側縁をヒートシール８して構成した食品包装用袋であって、上記ひだ折りして形成された底４の両端の縁７の重合部を接着してあることを特徴とする。【選択図】図５
2011093535.tif 000002
【特許請求の範囲】
【請求項１】
熱可塑性合成樹脂フイルムと紙とを重合接着した矩形フイルムをその中間部でひだ折りし、熱可塑性合成樹脂フイルムが内側になるよう二つ重ねにし、その両側縁をヒートシールして構成した食品包装用袋であって、上記ひだ折りして形成された底の両端の縁の重合部を接着してあることを特徴とする食品包装用袋。
【請求項２】
展開状態で、上記ひだ折りされる二つの区分の両端に透孔を形成し、ひだ折りにして形成された底の両端縁の重合部をヒートシールした際に、該透孔を介して向き合う熱可塑性合成樹脂フイルムがヒートシールされて接着された上記請求項１に記載の食品包装用袋。
【請求項３】
熱可塑性合成樹脂フイルムと紙とを重合した矩形フイルムであって、一端側に紙が重合されない熱可塑性合成樹脂フイルムだけの部分を有し、二つ重ねにした際に該紙が重合されていない熱可塑性合成樹脂フイルムのみの部分が紙の重合された部分より張り出している上記請求項１又は２に記載の食品包装用袋。
【発明の詳細な説明】
【技術分野】
【０００１】
本発明は、コンビニエンスストア、スーパーマーケット、一般商店で販売されるテイクアウトできる食品、例えばコロッケ、メンチカツ、ハンバーガー等の食品を包装する薄いフイルムで形成された食品包装用袋に関する。
【背景技術】
【０００２】
透明な熱可塑性合成樹脂フイルムに品名、店名等を印刷した紙を重合して袋にした食品包装用袋は公知である。
従前公知のこの種食品包装用袋は、熱可塑性合成樹脂フイルムと紙とを重合接着した矩形フイルムをその中間部でひだ折りし、熱可塑性合成樹脂フイルムが内側になるよう二つ重ねにし、その両側縁をヒートシールして構成したものである。
【発明の概要】
【発明が解決しようとする課題】
【０００３】
従来公知の上記食品包装用袋は、この袋内に食品を収めて所持すること又は食品を食べながら所持することには何ら不都合はなく、この食品包装袋の目的は充分達成されている。
しかし、この公知の食品包装用袋は、そのひだ折りした底部に安定性がないことにより、食品を収めた状態でテーブル上に立てることができないという課題があった。
本発明は、この食品包装用袋をその中に食品を収めた状態で、テーブル上に立てることができるようにすることを目的とする。
【課題を解決するための手段】
【０００４】
そのため、本発明の食品包装用袋は、熱可塑性合成樹脂フイルムと紙とを重合接着した矩形フイルムをその中間部でひだ折りし、熱可塑性合成樹脂フイルムが内側になるよう二つ重ねにし、その両側縁をヒートシールして構成した食品包装用袋であって、上記ひだ折りして形成された底の両端の縁の重合部を接着してあることを特徴とする。
【０００５】
また、本発明の食品包装用袋は、展開状態で、上記ひだ折りされる二つの区分の両端に透孔を形成し、ひだ折りにして形成された底の両端縁の重合部をヒートシールした際に、該透孔を介して向き合う熱可塑性合成樹脂フイルムがヒートシールされて接着されたことを特徴とする。
【０００６】
さらに、本発明の食品包装用袋は、熱可塑性合成樹脂フイルムと紙とを重合した矩形フイルムであって、一端側に紙が重合されない熱可塑性合成樹脂フイルムだけの部分を有し、二つ重ねにした際に該紙が重合されていない熱可塑性合成樹脂フイルムのみの部分が紙の重合された部分より張り出していることを特徴とする。
【発明の効果】
【０００７】
本発明の食品包装用袋は、熱可塑性合成樹脂フイルムと紙とを重合接着した矩形フイルムをその中間部でひだ折りし、熱可塑性合成樹脂フイルムが内側になるよう二つ重ねにし、その両側縁をヒートシールして構成した食品包装用袋であって、上記ひだ折りして形成された底の両端の縁の重合部を接着してあることを特徴とするから、袋中に食品を入れた状態で、底を拡げることができ、食品を入れた食品包装用袋をテーブル上に立てることができる効果がある。
【０００８】
また、本発明の食品包装用袋は、展開状態で、上記ひだ折りされる二つの区分の両端に透孔を形成し、ひだ折りにして形成された底の両端縁の重合部をヒートシールした際に、該透孔を介して向き合う熱可塑性合成樹脂フイルムがヒートシールされて接着されたことを特徴とするから、簡単な構造及び簡単な手段で本発明食品包装用袋を生産することができる効果がある。
【図面の簡単な説明】
【０００９】
【図１】本発明の食品包装用袋の展開図である。
【図２】図１上Ａ−Ａ線に沿う断面図である。
【図３】本発明の食品包装用袋の平面図である。
【図４】図３上Ｂ−Ｂ線に沿う断面図である。
【図５】本発明の食品包装用袋を立てた状態の斜面図である。
【図６】公知の食品包装用袋の展開図である。
【図７】図６上Ｃ−Ｃ線に沿う断面図である。
【図８】公知の食品包装用袋の断面図である。
【発明を実施するための形態】
【００１０】
図６乃至図８に公知の食品包装用袋が示してある。図６の展開図及び図７の断面図に示すように、この食品包装用袋は、透明な熱可塑性合成樹脂フイルム１と紙２とを重合接着した矩形フイルムをその中間部で３本のひだ折り線３に沿ってひだ折りし、熱可塑性合成樹脂フイルム１が内側になるよう二つ重ねにし、その両側縁をヒートシールして食品包装用袋を構成してある。
熱可塑性合成樹脂フイルムは、その一端側に紙２と二つ重ねにしていない部分１’を有し、この部分１’により張り出し部が構成される。
【００１１】
この公知の食品包装用袋は、図８の断面図に示されるように、ひだ折りされた底の表面が紙２により形成されるから、袋に形成する際に縁をヒートシールしても底４の縁は接着されない。従って、底４は底として形成されるが、その縁が接着されていないため、底として安定性がなく食品包装用袋を立てることができない。
【００１２】
図１乃至図５に本発明の食品包装用袋が示してある。この図１乃至図５中、図６乃至図８に示した符号と同一の部分は同じ部分である。本発明の特徴は、上記ひだ折り線３，３によってひだ折りされて構成された底４を形成する二つの区分５，５の両端の重合部分を接着することである。このことにより底４の両端部分が接着固定され底４を開いたとときに、この接着固定部分が強固となり、安定する。
【００１３】
そこで、本発明では、上記ひだ折り線３によって囲まれた二つの区分５，５の両端に透孔６，６を形成し、ひだ折り線３に沿ってひだ折りして底を形成し、二つ重ねにして袋を形成するために両縁７，７をヒートシールした際に、上記透孔６，６を介して向き合う熱可塑性合成樹脂フイルムがヒートシールされて、底４の両端が重合接着される。
【符号の説明】
【００１４】
１  熱可塑性合成樹脂フイルム
２  紙
３  ひだ折り線
４  底
５  区分
６  透孔
７  縁
８  ヒートシール
【図１】
2011093535.tif 000003
【図２】
2011093535.tif 000004
【図３】
2011093535.tif 000005
【図４】
2011093535.tif 000006
【図５】
2011093535.tif 000007
【図６】
2011093535.tif 000008
【図７】
2011093535.tif 000009
【図８】
2011093535.tif 000010